(57)【要約】【課題】引出の操作性を向上することができるチェストを提供する。【解決手段】チェスト本体１２を構成するフレーム１１に引出１３を出し入れ自在に収容する。フレーム１１の下部側壁面５１の内側面にフレーム側ローラー６５を備えたフレーム側レール５２を固定する。前記引出１３の側面１０１に、前記フレーム側ローラー６５に支持される側方に突出した引出側レール１１１を一体形成する。前記フレーム側レール５２を、金属で形成する。【選択図】図７
2007117403.tif 000002
【特許請求の範囲】
【請求項１】
チェスト本体を構成するフレームに引出が出し入れ自在に収容されたチェストにおいて、
前記フレームの側壁の内側面にフレーム側ローラー及びフレーム側レールを設ける一方、前記引出に前記フレーム側ローラーに支持される支持片を突出形成したことを特徴とするチェスト。
【請求項２】
前記フレーム側レールは硬質であることを特徴とした請求項１記載のするチェスト。
【請求項３】
前記フレーム側レールを金属で構成するとともに、当該フレーム側レールに前記フレーム側ローラーを設けたことを特徴とする請求項１又は２記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出は、合成樹脂で形成されており、上方に開口した矩形容器状に形成されている。また、前記チェスト本体を形成するフレームも合成樹脂で形成されており、軽量化が図られている。
【発明の開示】
【発明が解決しようとする課題】
【０００５】
しかしながら、このようなチェストにおいては、引出に収容物を収容した際に、フレームと引出との摺接抵抗によって引出が出し入れし難くなることがあった。
【０００６】
本発明は、このような従来の課題に鑑みてなされたものであり、引出の操作性を向上することができるチェストを提供することを目的とするものである。
【課題を解決するための手段】
【０００７】
前記課題を解決するために本発明の請求項１のチェストにあっては、チェスト本体を構成するフレームに引出が出し入れ自在に収容されたチェストにおいて、前記フレームの側壁の内側面にフレーム側ローラー及びフレーム側レールを設ける一方、前記引出に前記フレーム側ローラーに支持される支持片を突出形成した。
【０００８】
すなわち、チェスト本体を構成するフレームの側壁の内側面には、フレーム側ローラー及びフレーム側レールが設けられており、引出には、前記フレーム側ローラーに支持される支持片が突出形成されている。
【０００９】
このため、前記引出の前記支持片が、前記フレームに設けられた前記フレーム側ローラーによって転動自在に支持されることにより、前記引出の出し入れが容易に行われる。
【００１０】
このとき、前記引出からの荷重を受ける前記フレームには、フレーム側レールが延設されており、該フレーム側レールによって当該フレームは補強される。このため、前記荷重によるフレームの変形が防止される。
【００１１】
また、請求項２のチェストにあっては、前記フレーム側レールは硬質である。
【００１２】
これにより、フレーム側レールによるフレームの補強効果が高められる。
【００１３】
さらに、請求項３のチェストでは、前記フレーム側レールを金属で構成するとともに、当該フレーム側レールに前記フレーム側ローラーを設けた。
【００１４】
これにより、フレーム側レールによるフレームの補強効果がさらに高められる。
【００１５】
また、前記フレーム側レールを取り付けるだけで、前記フレーム側ローラーが前記フレームに取り付けられる。
【発明の効果】
【００１６】
以上説明したように、本発明の請求項１のチェストにあっては、チェスト本体を構成するフレームの内側面に、フレーム側ローラー及びフレーム側レールを設けるとともに、引出に、前記フレーム側ローラーに支持される支持片を突出形成することで、前記引出の前記支持片を、前記フレームに設けられた前記フレームローラーによって転動自在に支持することができる。
【００１７】
これにより、前記引出の出し入れを容易に行うことができ、引出の操作性を向上することができる。
【００１８】
このとき、前記引出からの荷重を受ける前記フレームには、フレーム側レールが延設されており、該フレーム側レールによって当該フレームを補強することができる。このため、前記荷重によるフレームの不用意な変形を防止することができる。
【００１９】
また、請求項２のチェストにあっては、フレーム側レールを硬質とすることで、前記フレーム側レールによる前記フレームの補強効果を高めることができる。
【００２０】
さらに、請求項３のチェストでは、フレーム側レールを金属で構成するとともに、当該フレーム側レールにフレーム側ローラーを設けたので、フレーム側レールによるフレームの補強効果を、さらに高めることができる。
【００２１】
また、前記フレーム側レールを前記フレームに取り付けるだけで、前記フレーム側ローラーを前記フレームに取り付けることができる。
【発明を実施するための最良の形態】
【００２２】
以下、本発明の一実施の形態を図に従って説明する。図１は、本実施の形態にかかるチェスト１を示す図であり、該チェスト１は、衣類や小物などを収納するものである。
【００２３】
このチェスト１は、図２にも示すように、フレーム１１を形成するチェスト本体１２と、該チェスト本体１２に設けられた矩形容器状の引出１３，１３とによって構成されている。
【００２４】
前記チェスト本体１２を形成する前記フレーム１１は、上下に連結された二つフレーム構成部材２１，２１によって構成されており、下段のフレーム構成部材２１の底面２２裏側には、キャスター２３，・・・が四隅に設けられている。上段のフレーム構成部材２１には、天板２４が設けられており、両フレーム構成部材２１，２１間及び上段のフレーム構成部材２１と前記天板２４間には、前記引出１３，１３が引き出し自在に保持されている。
【００２５】
前記フレーム構成部材２１は、合成樹脂で形成されており、当該フレーム構成部材２１は、図３に示すように、中央部に矩形開口部３１が形成された長方形状の底板部３２と、該底板部３２の四隅に一体形成された支柱３３，・・・とによって構成されている。
【００２６】
該支柱３３は、図４にも示すように、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、図１及び図２に示したように、上段のフレーム構成部材２１の支柱３３下部に挿入された状態で固定されており、上段のフレーム構成部材２１の支柱３３の挿入部４２は、前記天板２４に挿入された状態で固定されている。
【００２７】
前記フレーム構成部材２１における前後の支柱３３，３３間には、下部側壁面５１がその下部に一体形成されており、該下部側壁面５１には、前方Ｆの支柱３３から後方Ｒの支柱３３までの間に、図４にも示すように、フレーム側レール５２が固定されている。
【００２８】
このフレーム側レール５２は、前記フレーム１１より硬質の金属によって形成されており、該フレーム側レール５２は、図４及び図５にも示すように、側面部６１と天面部６２とからなる断面Ｌ字状に形成されており、前記側面部６１には、前記フレーム構成部材２１の下部側壁面５１の内側面に設けられた固定部６３，・・・に固定される固定爪６４，・・・が切り起こされている。前記側面部６１の端部には、金属製のフレーム側ローラー６５が回転自在に支持されており、該フレーム側ローラー６５が位置する前記天面部６２の端部には、切欠部６６が設けられている。
【００２９】
また、このフレーム側レール５２が取り付けられた前記フレーム構成部材２１には、図４に示したように、前記フレーム側レール５２の前記天面部１２２に対向した前記底板部３２の対向部位が下方ガイド部７１を構成するように構成されている。
【００３０】
このフレーム構成部材２１の左右の支柱３３，・・・間に保持される前記引出１３は、合成樹脂によって形成されており、図６にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００３１】
この引出１３には、各側面１０１，１０１の下部には、前記フレーム１１に設けられた前記フレーム側レール５２の前記フレーム側ローラー６５に支持される側方へ向けて延出した支持片としての引出側レール１１１が一体形成されている。該引出側レール１１１は、当該引出１３の前端から後端へ向けて延設されており、当該引出側レール１１１より後部に残存するスペースには、金属製の引出側ローラー１１２が回転自在に設けられている。なお、この引出側ローラー１１２は、引出１３と別体に構成して後付したり、引出１３成型時にインサート成型することができる。
【００３２】
これにより、図７に示すように、前記引出１３より側方に突出した前記引出側ローラー１１２は、前記フレーム構成部材２１に設けられた前記フレーム側レール５２の天面部６２に案内される一方、前記フレーム構成部材２１に設けられたフレーム側レール５２のフレーム側ローラー６５は、前記引出１３に設けられた前記引出側レール１１１に案内されるように構成されている。
【００３３】
そして、前記フレーム１１から前記引出１３を引き出す際には、前記フレーム構成部材２１に設けられた前記フレーム側ローラー６５が前記引出１３に設けられた前記引出側レール１１１を支持する一方、前記引出１３が当該引出１３の荷重によって前のめりになった際には、該引出１３に設けられた前記引出側ローラー１１２が前記フレーム構成部材２１に設けられた前記フレーム側レール５２に支持されるように構成されている（図示省略）。さらに、前記引出１３を引き出した際には、図１１に示すように、前記引出側ローラー１１２が前記フレーム側レール５２から離脱することによって、当該引出１３をチェスト本体１２から取り出せるように構成されている。
【００３４】
以上の構成にかかる本実施の形態において、チェスト本体１２を構成するフレーム１１の下部側壁面５１の内側面には、フレーム側ローラー６５を備えたフレーム側レール５２が設けられており、引出１３には、前記フレーム側ローラー６５に支持される引出側レール１１１が突出形成されている。
【００３５】
このため、前記引出１３の前記引出側レール１１１が、前記フレーム１１に設けられた前記フレーム側ローラー６５によって転動自在に支持されることにより、前記引出１３の出し入れを容易に行うことができ、引出１３の操作性を向上することができる。
【００３６】
このとき、前記引出１３からの荷重を受ける前記フレーム１１には、フレーム側レール５２が延設されており、該フレーム側レール５２によって当該フレーム１１を補強することができる。このため、前記荷重による前記フレーム１１の不用意な変形を防止することができる。
【００３７】
また、前記フレーム側レール５２は、前記フレーム１１より硬質な部材で形成されており、前記フレーム側レール１１による前記フレーム１１の補強効果を高めることができる。
【００３８】
さらに、前記フレーム側レール５２は、金属で形成されている。このため、前記フレームの補強効果を、さらに高めることができる。
【００３９】
そして、前記フレーム側レール５２を取り付けるだけで、前記フレーム側ローラー６５を前記フレーム１１に取り付けることができる。
【図面の簡単な説明】
【００４０】
【図１】本発明の一実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のフレーム側レールを示す図で、（ａ）は平面図であり、（ｂ）は側面図である。
【図６】同実施の形態の断面図である。
【図７】同実施の形態の動作を示す説明図である。
【図８】図７に続く動作を示す説明図である。
【符号の説明】
【００４１】
１    チェスト
１１    フレーム
１２    チェスト本体
１３    引出
３２    底板部
５１    下部側壁面
５２    フレーム側レール
６５    フレーム側ローラー
１１１    引出側レール
１１２    引出側ローラー
【図１】
2007117403.tif 000003
【図２】
2007117403.tif 000004
【図３】
2007117403.tif 000005
【図４】
2007117403.tif 000006
【図５】
2007117403.tif 000007
【図６】
2007117403.tif 000008
【図７】
2007117403.tif 000009
【図８】
2007117403.tif 000010